(57)【特許請求の範囲】
【請求項１】
軸筒内に、熱変色性インキを充填した筆記体を前後動可能に収容し、前記軸筒の外面に操作部を設け、前記操作部を操作することによって、前記筆記体のペン先を軸筒の前端孔から出没可能に構成してなる熱変色性筆記具であって、前記軸筒の後端部に、熱変色性インキの筆跡を摩擦し、その際に生じる摩擦熱で前記熱変色性インキの筆跡を熱変色可能な摩擦部を具備してなる熱変色性筆記具であって、前記軸筒の後端部に設けた被装着部に、前記摩擦部を覆うキャップを着脱自在に装着するとともに、前記軸筒の前端部に、前記キャップを着脱自在に装着可能な第二被装着部を設け、且つ前記キャップに、前記キャップを前記軸筒の前端部に装着した状態で、前記筆記体のペン先が出没可能な貫通孔を設け、前記軸筒の後端部及び前記軸筒の前端部にキャップを装着してなり、前記キャップの少なくとも外面に、前記熱変色性インキの筆跡を摩擦し、その際に生じる摩擦熱で前記熱変色性インキの筆跡を熱変色可能な第二摩擦部を設けたことを特徴する熱変色性筆記具。
【発明の詳細な説明】
【技術分野】
【０００１】
本発明は、軸筒内に、熱変色性インキを充填した筆記体を前後動可能に収容し、前記軸筒の外面に操作部を設け、前記操作部を操作することによって、前記筆記体のペン先を軸筒の前端孔から出没可能に構成してなる熱変色性筆記具に関する。
【背景技術】
【０００２】
従来から、筆記具を構成する筒体の一方の端部に具備した、熱変色性インキの筆跡を摩擦し、その際に生じる摩擦熱で前記熱変色性インキの筆跡を熱変色可能な軟質樹脂からなる摩擦体については、特開２００９−９０５６６号公報「摩擦体」等で開示されている。
【０００３】
こうした摩擦体を具備した熱変色性筆記具において、本願発明者は、特開２０１４−１２４８９９号公報「熱変色性筆記具」においては、軸筒の後端部に設けた摩擦部体の外面に外筒体を設けた出没式の熱変色性筆記具を開示いている。
【先行技術文献】
【特許文献】
【０００４】
【特許文献１】特開２００９−９０５６６号公報
【特許文献２】特開２００９−１２４８９９号公報
【発明の開示】
【発明が解決しようとする課題】
【０００５】
確かに、摩擦部を具備したノック式筆記具において、高級感や摩擦部の汚れを防止するため、摩擦部を覆うキャップを設けることが切望されているが、単にキャップを具備するだけでは、摩擦部を使用する際、キャップを外した後、キャップを紛失してしまう新たな問題が発生していた。
【０００６】
本発明の目的は、軸筒の後端部に摩擦部を具備した熱変色性筆記具において、キャップを紛失し難い熱変色性筆記具を提供するものである。
【課題を解決するための手段】
【０００７】
上記目的を達成するために、本発明は軸筒内に、熱変色性インキを充填した筆記体を前後動可能に収容し、前記軸筒の外面に操作部を設け、前記操作部を操作することによって、前記筆記体のペン先を軸筒の前端孔から出没可能に構成してなる熱変色性筆記具であって、前記軸筒の後端部に、熱変色性インキの筆跡を摩擦し、その際に生じる摩擦熱で前記熱変色性インキの筆跡を熱変色可能な摩擦部を具備してなる熱変色性筆記具であって、前記軸筒の後端部に設けた被装着部に、前記摩擦部を覆うキャップを着脱自在に装着するとともに、前記軸筒の前端部に、前記キャップを着脱自在に装着可能な第二被装着部を設け、且つ前記キャップに、前記キャップを前記軸筒の前端部に装着した状態で、前記筆記体のペン先が出没可能な貫通孔を設け、前記軸筒の後端部及び前記軸筒の前端部にキャップを装着したことを特徴する。尚、本発明で、「前」とは、ペン先側を指し、「後」とは、その反対側を指す。
【０００８】
また、前記キャップの少なくとも外面に、前記熱変色性インキの筆跡を摩擦し、その際に生じる摩擦熱で前記熱変色性インキの筆跡を熱変色可能な第二摩擦部を設けたことを特徴とする。 
【０００９】
本発明の第１の構成によれば、前記軸筒の後端部に、熱変色性インキの筆跡を摩擦し、その際に生じる摩擦熱で前記熱変色性インキの筆跡を熱変色可能な軟質樹脂からなる摩擦部を具備してなる熱変色性筆記具であって、前記軸筒の後端部に設けた被装着部に、前記摩擦部を覆うキャップを着脱自在に装着するとともに、前記軸筒の前端部に、前記キャップを着脱自在に装着可能な第二被装着部を設けることで、軸筒後端部の摩擦部を使用する際、取り外したキャップを軸筒前端部に着脱自在に装着することができるので、キャップ紛失を防止することができる。また、キャップには、ペン先が連通可能な貫通孔を設けてあるため、軸筒前端部にキャップを装着した後も、ペン先の出没操作を実現できる。
【００１０】
本願発明の第２の構成によれば、前記キャップの少なくとも外面に、前記熱変色性インキの筆跡を摩擦し、その際に生じる摩擦熱で前記熱変色性インキの筆跡を熱変色可能な第二摩擦部を設けることで、軸筒後端部、軸筒前端部と異なる２カ所での摩擦操作が可能となる。また、摩擦部と第二摩擦部の形状が異なるため、細かな部分を摩擦変色する場合や、幅広く摩擦変色する場合など、用途に応じて使い分けすることができる。
【００１１】
本発明において摩擦部は、弾性材料（軟質材料）から構成されることが好ましい。前記摩擦部を構成する弾性材料は、弾性を有する合成樹脂（ゴム、エラストマー）が好ましく、例えば、シリコーン樹脂、ＳＢＳ樹脂、ＳＥＢＳ樹脂、フッ素系樹脂、クロロプレン樹脂、ニトリル樹脂、ポリエステル系樹脂、エチレンプロピレンジエンゴム（ＥＰＤＭ）等が挙げられる。前記摩擦部を構成する弾性を有する合成樹脂は、高摩耗性の弾性材料（例えば、消しゴム等）は、摩擦時に摩耗カス（消しカス）が生じるため、磨耗カスの殆ど生じない低摩耗性の弾性材料からなることが最も好ましい。尚、本発明の摩擦部は、少なくとも後端部外面が弾性材料からなる構成であればよい。また、摩擦部及び第二摩擦部としては、ショアＡ硬度４０以上、１００以下が好ましい。また、第二摩擦部は、キャップの着脱性などを考慮して、摩擦部の硬度よりも硬く、且つショアＡ硬度６０以上、１００以下することが好ましい。
【００１２】
本発明の摩擦部は、軸筒に嵌着、圧入、螺着、接着、融着によって具備することが挙げられる。さらに、摩擦部は、軸筒自体を摩擦部とすること、軸筒と摩擦部を二色成形によって一体に成形してあってもよい。同様に、第二摩擦部もキャップに嵌着、圧入、螺着、接着、融着によって具備することが挙げられる。さらに、第二摩擦部は、キャップ自体を第二摩擦部とすること、キャップと第二摩擦部を二色成形によって一体に成形してあってもよい。
【発明の効果】
【００１３】
本発明は、軸筒の後端部に摩擦部を具備した熱変色性筆記具において、キャップを紛失し難い熱変色性筆記具を提供することができた。
【図面の簡単な説明】
【００１４】
【図１】実施例１の熱変色性筆記具を示す縦断面図である。
【図２】図１におけるペン先を突出した状態を示す図である。
【図３】図１におけるキャップを前軸に装着した状態を示す図である。
【図４】図３におけるペン先を突出した状態を示す図である。
【図５】摩擦部を使用する状態の一例を示す図である。
【図６】前軸及び後軸に第二摩擦部を装着した状態を示す縦断面図である。
【発明を実施するための形態】
【００１５】
次に図面を参照しながら、本発明のスライド式の多芯筆記具の実施例を説明するが、本発明は以下の実施形態に限定されるものではない。
【００１６】
実施例１
図１〜図５に示す実施例１の熱変色性筆記具１は、前軸３、後軸４、頭冠５で構成される軸筒２内に複数本（３本）の筆記体が前後方向に移動可能に収容されている。前軸３の雄ネジ部と後軸４の雌ネジ部を螺合により取り付けられ、後軸４の雄ネジ部に頭冠５の雌ネジ部が螺合により取り付けられている。また、筆記体９の後端部には、筆記体９のインキ収容筒１０に収容した熱変色性インキ（図示せず）と発色状態と同色の摺動体６を配設してあり、筆記体９は、コイルスプリング１４により後方に付勢してあり、他の筆記体１３の後端部には、筆記体９と同様にして、筆記体１３のインキ収容筒に収容した熱変色性インキと同色の摺動体（図示せず）を配設してある。また、摺動体を配設した、もう一方の筆記体について詳細は図示していないが、３本の筆記体を配設した従来から知られている出没機構のスライド式の多芯筆記具である。
【００１７】
筆記体９について詳述すると、インキ収容筒１０の前端部に、φ０．５ｍｍのボールを回転自在に抱持したボールペンチップ１２からなるペン先を、チップホルダー１１を介して装着してある。また、インキ収容筒１０内には、平均粒径が０．５ｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の熱変色性インキ（図示せず）と、このインキの後端に、グリース状のインキ追従体（図示せず）を直に収容してある。尚、インキ粘度は、ＥＭ型回転粘度計における１００ｒｐｍ、２０℃において、４０〜２００ｍＰａ・ｓとすることが好ましい。また 本発明で規定する「平均粒子径」は、堀場製作所製レーザー式粒度分布測定機ＬＡ−３００（体積基準）を使用し、そのメジアン径を平均粒子径とした値である。
【００１８】
尚、前記熱変色性インキは、日常の生活温度域で呈する色彩の保持を有効に機能するため、低温側変色点が−３０℃〜−１０ ℃の範囲の任意の温度に設定され、高温側変色点が６０℃〜８０℃の範囲の任意の温度に設定され、ヒステリシス幅ΔＨが４０℃〜６０℃の範囲を示す可逆熱変色性組成物を有するインキとすることが好ましい。前記熱変色性インキは、発色状態において、透明、白色、灰色、及び淡色以外の色を呈する。前記熱変色性インキは、発色状態において、例えば、黒、青、赤、黄、緑、橙、紫、紺、ピンク、水色等を呈する。前記熱変色性インキは、消色状態において、無色となる。
【００１９】
また、後軸４の後端部には、前後方向に延びる細長状の摺動溝４Ａが３本、形成してあり、互いに、１２０度間隔に形成される。また、摺動溝４Ａは、後方が開口していて、後軸４の後端で連通する開口部を有している。後軸４の後端部は略円筒状であって、後軸４の外面には予めフィルム転写を施してある。
【００２０】
後軸４内には、略円筒状のスプリング支持部７を固着している。スプリング支持部７は、筆記体９、１３等、３本の筆記体が挿通される内孔が軸方向に貫設し、スプリング支持部７と、各々の摺動体６間には、例えば摺動体６とスプリング支持部７との間には、コイルスプリング１４が配置し、筆記体９及び摺動体６を後方に付勢してある。尚、図示はしていないが、他の摺動体も摺動体６と同様に、スプリング支持部７と、各々の摺動体間には、コイルスプリングが配置し、筆記体及び摺動体を後方に付勢してある。
【００２１】
また、後軸４の後端部、且つ後軸４の摺動溝間には、長手方向に沿って延びる凹状の装着溝を形成してあり、この装着溝にクリップ１５を付設してある。クリップ１５は、クリップ片１６を、クリップ台１７の外壁に設けられた支柱１８に連結し、クリップ片１６の内壁とクリップ台１７との間であって支柱の後方に配設されるコイルスプリング１９によって、クリップ片１６の前端部の内壁を常時、クリップ台１７の外壁の外面に弾性的に反発させるとともに、クリップ片１６の後端部をクリップ台１７側へ押圧することによりクリップ片１６と支柱１８との連結部を支点としクリップ台１７に対しクリップ片１６の前端部の内壁をクリップ台１７から離間可能に配設してある。また、クリップ台１７の前端部には、クリップ片１６に向かって突出する係止部を形成してある。 
【００２２】
また、後軸４の後端部には、頭冠５を螺合により着脱自在に装着し、頭冠５には、ＳＥＢＳ樹脂で形成した摩擦部８が装着してある。具体的には、頭冠５に設けた嵌合突部に、摩擦部８の突部を落とし込み嵌合によって、摩擦操作時などに容易に抜けないように装着してある。また、頭冠５を着脱自在に装着することで、仮に摩擦部８が損傷や汚れた場合でも摩擦部８を交換することができる。尚、摩擦部８の硬度は、ショアＡ硬度６０であった。
【００２３】
さらに、後軸４の後端部には、前記摩擦部８を覆うため、キャップ２０を装着してある。キャップ２０は、内部に設けた凸部（装着部）２０Ｂと、ドーム状の天部(前記装着部とは反対側の端部)には貫通孔２０Ａを設けてある。一方、後軸４の後端部には装着した頭冠５の外面に凸状の被装着部５Ａを設けてあり、この被装着部５Ａとキャップ２０内設けた凸部２０Ｂを乗り越し嵌合によって着脱自在に装着してある。キャップ２０は、ポリエステル系樹脂からなり、熱変色性インキの筆跡を摩擦し、その際に生じる摩擦熱で熱変色性インキの筆跡を熱変色可能な第二摩擦部となる。尚、キャップ２０の硬度は、ショアＡ硬度１００であった。
【００２４】
筆記体９のボールペンチップからなるペン先１２を前軸３の前端孔３Ａから突出させるには、摺動体６の操作部６Ａを、摺動溝４Ａに沿って、前軸３の前端孔３Ａ方向へスライドすることにより、摺動体６に形成した係合突起が後軸４内に形成した係止部（図示せず）に係止して、筆記体９のペン先１２を前軸３の前端孔３Ａから選択して突出を維持して、筆記することができる。
【００２５】
また、筆記体９のペン先１２が前軸３の前端孔３Ａから突出を維持した状態で、他の摺動体の操作部を前軸３の前端孔３Ａ方向にスライドすることで、他の摺動体の解除突起が摺動体６の係止を解除し、コイルスプリング１４により筆記体９のペン先１２を前軸３内に没入させることができる。
【００２６】
筆跡を熱変色するには、図５に示すとおり、キャップ２０を装着した状態では、摩擦部８の後端部が、キャップ２０の後端部よりも長手方向において前軸側に位置しているため、キャップ２０を第二摩擦部としてノート等の筆記面Ｈに筆記した筆跡に圧接し、擦ることで発生する熱によって、熱変色性インキの筆跡を熱消色させることができる。
【００２７】
また、キャップ２０を取り外して、後軸４の後端部の摩擦部８を用いて、筆跡に圧接し、擦ることで発生する熱によって、熱変色性インキの筆跡を熱消色することができる。尚、取り外したキャップ２０は、前軸３の前端部に設けた凸状の第二被装着部３Ｂに着脱自在に装着することができる。さらに、前軸３の前端部にキャップ２０を装着した状態であれば、後軸４の後端部の摩擦部８と前軸３の前端部のキャップ２０（第二摩擦部）との両端部にて使用することができる。
【００２８】
また、キャップ２０を前軸３の前端部に装着した状態で、筆記体９のペン先１２を前軸３の前端孔３Ａから突出させる場合は、摺動体６の操作部６Ａを、摺動溝４Ａに沿って、前軸３の前端孔３Ａ方向へスライドすることにより、筆記体９のペン先１２を前軸３の前端孔３Ａ及びキャップ２０の貫通孔２０Ａを挿通して、前軸３の前端孔３Ａから突出して、筆記することができる。 
【００２９】
本実施例では、便宜上、熱変色性インキを収容したボールペンを３本配設してあるが、筆記体には、例えば、ボールペン、マーキングペン等が挙げられる。また、筆記体の本数は、少なくとも１本が熱変色性インキを収容した筆記体であればよく、具体的には、１本（単色）、２本、３本、４本、５本、６本等が挙げられる。
【００３０】
また本実施例では、便宜上、キャップを乗り越し嵌合することで、軸筒の後端部及び前端部に着脱自在に装着するようにしてあるが、装着方法は、螺合や圧入など、特に限定されるものではないが、頭冠を着脱自在とする場合には、頭冠とは異なる方法で装着することで、キャップの着脱時に頭冠が外れ難くなるので好ましい。また、キャップの形状も特に限定されるものではないが、軸筒前端部に装着した後のペン先視認性を考慮すると、天部に向かって徐々に縮径する形状とすることが好ましく、摩擦操作性を鑑みて、天部の外周面に曲面部を有する形状が好ましい。
【００３１】
さらに、図６に示すように、予め軸筒の後端部、軸筒の前端部にキャップを装着しておくことで、仮に軸筒の後端部のキャップを紛失しても、軸筒の前端部側のキャップを予備として用いることもできる。
【００３２】
また、筆記具用インキも特に限定されるものではないが、粒子の平均の大きさが０．１〜３０μｍの顔料を含有し、前記ボールの縦方向のクリアランスが、３０〜８０μｍ、１００ｍ当たりのインキ消費量が、２００〜８００ｍｇとすることで、濃く良好な筆跡及び良好な筆感を得ることができる。これは、ボールの縦方向のクリアランスが３０ｍ未満では、粒子の平均の大きさが０．１〜３０μｍの顔料を有する筆記具用水性インキにおいて、１００ｍ当たりのインキ消費量が２００〜８００ｍｇのようなインキ消費量を多くすることが困難であるとともに、８０μｍを超えると、インキ消費量が多く、筆跡乾燥性が低下する恐れがあるため、３０から８０μｍとすることが最も好ましいためである。インキ消費量については、２０℃環境下で、筆記用紙としてＪＩＳ  Ｐ３２０１筆記用紙Ａ上に筆記角度６５°、筆記荷重１００ｇの条件にて、筆記速度４ｍ／ｍｉｎの速度で、試験サンプル５本用いて、らせん筆記試験を行い、その１００ｍあたりのインキ消費量の平均値を、１００ｍあたりのインキ消費量と定義する。
【産業上の利用可能性】
【００３３】
本発明の熱変色性筆記具は、出没機構や単芯、多芯に限定されることなく、熱変色性筆記具として広く実施可能である。
【符号の説明】
【００３４】
１  熱変色性筆記具
３  前軸
３Ａ  前端孔
３Ｂ  第二被装着部
４  後軸
４Ａ  摺動溝
５  頭冠
５Ａ  被装着部
６  摺動体
６Ａ  操作部
７  スプリング支持部
８  摩擦部
９、１３  筆記体
１０  インキ収容筒
１２  ペン先
１４  コイルスプリング
１５  クリップ
１６  クリップ片
１７  クリップ台
１８  支柱
１９  コイルスプリング
２０  キャップ（第二摩擦部）
２０Ａ  貫通孔
２０Ｂ  凸部
【図１】
0006472239.tif 000002
【図２】
0006472239.tif 000003
【図３】
0006472239.tif 000004
【図４】
0006472239.tif 000005
【図５】
0006472239.tif 000006
【図６】
0006472239.tif 000007